(57)【要約】【課題】記録媒体に対する記録品質、記録のリアルタイム性、追記回数それぞれの向上を図る。【解決手段】ユーザデータを記録するためのユーザデータ領域と、ユーザデータ領域における欠陥位置の代替として用いられる領域であってユーザデータ領域の内周側および外周側に設けられたスペア領域と、レーザ光の記録パワー調整に用いられるＯＰＣ領域と、を記録層に含む記録媒体に情報を記録可能な記録装置であって、上記スペア領域の少なくとも一部を用いて上記記録パワー調整を実行することを特徴とする記録装置。【選択図】図３
2014002813.tif 000002
【特許請求の範囲】
【請求項１】
ユーザデータを記録するためのユーザデータ領域と、ユーザデータ領域における欠陥位置の代替として用いられる領域であってユーザデータ領域の内周側および外周側に設けられたスペア領域と、レーザ光の記録パワー調整に用いられるＯＰＣ領域と、を記録層に含む記録媒体に情報を記録可能な記録装置であって、
上記スペア領域の少なくとも一部を用いて上記記録パワー調整を実行することを特徴とする記録装置。
【請求項２】
上記記録パワー調整の実行後にユーザデータの記録を開始するユーザデータ領域内の位置と距離が近い方のスペア領域を用いて上記記録パワー調整を実行することを特徴とする請求項１に記載の記録装置。
【請求項３】
複数の記録層を有する上記記録媒体に情報を記録可能であり、一の記録層への記録を終えて次の記録層への記録を開始する際に、当該次の記録層におけるユーザデータ領域の記録開始位置に近い方のスペア領域を用いて上記記録パワー調整を実行することを特徴とする請求項１または請求項２に記載の記録装置。
【請求項４】
上記記録層は、欠陥位置および欠陥位置に対する代替位置を欠陥エントリー単位で管理する欠陥リストを有するディスク管理領域を含み、
上記欠陥リストにおける一つの欠陥エントリーに関し、上記欠陥位置として、上記記録パワー調整を実行したスペア領域内の位置情報を記録する、ことを特徴とする請求項１〜請求項３のいずれかに記載の記録装置。
【請求項５】
上記欠陥リストにおける一つの欠陥エントリーに関し、上記代替位置として、位置情報を記録せず、且つ識別情報として、代替先が存在しないことを示す所定の情報を記録する、ことを特徴とする請求項４に記載の記録装置。
【発明の詳細な説明】
【技術分野】
【０００１】
本発明は、記録媒体に情報を記録可能な記録装置に関する。
【背景技術】
【０００２】
ユーザデータを記録するためのユーザデータ領域と、ユーザデータ領域における欠陥位置の代替として用いられる領域であってユーザデータ領域の内周側および外周側に設けられたスペア領域と、レーザ光の記録パワー調整（いわゆるＯＰＣ；Optimum Power CalibrationあるいはOptimum Power Control）に用いられるＯＰＣ領域と、を記録層に含む光ディスクに情報を記録可能な記録装置が一般的に知られている（特許文献１参照。）。
【先行技術文献】
【特許文献】
【０００３】
【特許文献１】特開２００５‐４４５０９号公報
【発明の概要】
【発明が解決しようとする課題】
【０００４】
ＯＰＣ領域は、一般に光ディスクのリードイン領域やリードアウト領域に確保されており、ユーザデータ領域と距離が離れている。そのため、光ディスクにおけるＯＰＣ領域に該当する箇所とユーザデータ領域に該当する箇所との間に、品質や状態（例えば、ディスク面の傷や汚れの有無）に差が生じ易いと言える。そのため、ＯＰＣ領域を用いて記録パワー調整を実行した結果が、必ずしもユーザデータ領域に対する記録処理にとって最適な調整結果であるとは限らなかった。
【０００５】
また、ＯＰＣ領域とユーザデータ領域とが互いに遠い位置に在ることで、例えば、ユーザデータ領域への記録を実行し、一旦記録パワー調整を行い、再びユーザデータ領域への記録を実行する場合に、光ピックアップの移動距離が長くなってしまう。そのため、例えば、テレビ番組を光ディスクに録画する場合に録画動作のリアルタイム性（テレビ番組の受信と録画との時間差の少なさ）が低くなるという課題があった。
さらには、ＢＤ‐Ｒ（Blu-ray Disc Recordable）のような上書不能な追記型の光ディスクでは、ＯＰＣ領域を用いて記録パワー調整を実行する度に、ユーザデータ領域への追記可能回数が減ってしまう。
【０００６】
本発明は少なくとも上記課題の一つを解決するためになされたものであり、記録媒体に対する記録品質を高め、記録のリアルタイム性を高め、さらには上記追記回数を増加させることが可能な記録装置を提供する。
【課題を解決するための手段】
【０００７】
本発明の態様の一つは、ユーザデータを記録するためのユーザデータ領域と、ユーザデータ領域における欠陥位置の代替として用いられる領域であってユーザデータ領域の内周側および外周側に設けられたスペア領域と、レーザ光の記録パワー調整に用いられるＯＰＣ領域と、を記録層に含む記録媒体に情報を記録可能な記録装置であって、上記スペア領域の少なくとも一部を用いて上記記録パワー調整を実行する構成としてある。
【０００８】
当該構成によれば、記録装置は、記録媒体内のスペア領域の少なくとも一部を用いて記録パワー調整を実行する。つまり、ユーザデータ領域により近い位置で記録パワー調整を実行するため、ユーザデータ領域に該当する箇所と品質や状態がより近い環境で記録パワー調整が実行される可能性が高まり、結果的に記録品質が高まる。同時に、記録処理に要する時間を全体的に短縮することができる（上記リアルタイム性を高めることができる）。さらには、ＯＰＣ領域の使用を節約することができ、結果的に、上記追記回数を増加させることができる。
【図面の簡単な説明】
【０００９】
【図１】記録再生装置の概略構成を示す図である。
【図２】光ディスクの構造を簡易的に示す図である。
【図３】記録処理を示すフローチャートである。
【図４】ＤＦＬの一例を示す図である。
【発明を実施するための形態】
【００１０】
本発明の実施形態として、記録装置は、上記記録パワー調整の実行後にユーザデータの記録を開始するユーザデータ領域内の位置と距離が近い方のスペア領域を用いて上記記録パワー調整を実行するとしてもよい。
本発明の実施形態として、記録装置は、複数の記録層を有する上記記録媒体に情報を記録可能であり、一の記録層への記録を終えて次の記録層への記録を開始する際に、当該次の記録層におけるユーザデータ領域の記録開始位置に近い方のスペア領域を用いて上記記録パワー調整を実行するとしてもよい。
本発明の実施形態として、上記記録層は、欠陥位置および欠陥位置に対する代替位置を欠陥エントリー単位で管理する欠陥リストを有するディスク管理領域を含み、記録装置は、上記欠陥リストにおける一つの欠陥エントリーに関し、上記欠陥位置として、上記記録パワー調整を実行したスペア領域内の位置情報を記録する、としてもよい。
本発明の実施形態として、上記欠陥リストにおける一つの欠陥エントリーに関し、上記代替位置として、位置情報を記録せず、且つ識別情報として、代替先が存在しないことを示す所定の情報を記録する、としてもよい。
【００１１】
また、本発明の思想は、記録装置としてだけではなく、記録装置が実現する処理工程を有する方法の発明や、当該処理工程をコンピュータに実行させるコンピュータ読取可能なプログラムの発明としても具現化される。
【００１２】
以下、図面を参照しながら本発明の実施形態を更に説明する。
図１は、本実施形態にかかる記録再生装置１００の概略構成を示している。記録再生装置１００は、本発明の記録装置の一例に該当する。記録再生装置１００は、光ピックアップ１０、アンプ２０、データ記録再生部３０、サーボ回路４０、ドライバ回路５０、ターンテーブル６０、スピンドルモータ７０、制御部８０等を備える。記録再生装置１００は、ターンテーブル６０に置かれた円盤型の光ディスク２００（記録媒体）に対してレーザ光を照射することにより、光ディスク２００にデータを記録し、また、光ディスク２００に記録されているデータを読み出す。光ディスク２００としては、例えば、ＤＶＤ（Digital Versatile Disk）やＢＤ（Blu-ray Disc）等のデジタルメディアが該当する。一般的に、光ディスク２００の記録層には、スパイラル状に多数のトラックが形成されており、各トラックは細かく分けられた複数のセクタにより形成されている。各セクタには、それらを識別するための物理セクタ番号（ＰＳＮ）が割り与えられている。
【００１３】
光ピックアップ１０は、アクチュエータ１１を備える。アクチュエータ１１は、対物レンズを保持しつつ自身が移動可能な対物レンズ可動子を含む装置である。アクチュエータ１１は、対物レンズ可動子を、光ディスク２００に照射するレーザ光の光軸方向（フォーカシング方向）に微小駆動させ、また光ディスク２００の半径方向（トラッキング方向）に移動させる。光ピックアップ１０は、光ディスク２００に対してレーザダイオードから射出したレーザ光を、対物レンズを介して照射し、光ディスク２００からの反射光をフォトディテクタで電気信号に変換することによって、光ディスク２００に記録されている情報を光学的に読み出す。フォトディテクタは受光領域からの電気信号をアンプ２０に出力する。一方、データ記録再生部３０から記録用データが入力されると、光ピックアップ１０は記録用データに応じて変調したレーザ光を光ディスク２００の記録面に照射することにより、光ディスク２００に対する記録を行なう。
【００１４】
データ記録再生回路３０は、アンプ２０から出力される信号に復調処理、誤り検出及び訂正処理などを施すことにより情報を所定形式のデジタルデータに再生し、制御部８０から入力される表示出力命令に基づいて必要な映像等を外部に出力する。また、データ記録再生回路３０は、テレビジョン放送受像部や外部装置（図示せず）等から記録用データが入力されると、ＲＦ信号に変換して、上述したように光ピックアップ１０に出力する。制御部８０は、例えばＣＰＵと各種命令を実行するプログラムが記憶されたＲＯＭ等から構成されており、記録再生装置１００全体の制御を行う。
【００１５】
アンプ２０は、光ピックアップ１０が出力した信号を増幅してデータ記録再生回路３０に出力するとともに、フォーカシングエラー信号（ＦＥ）とトラッキングエラー信号（ＴＥ）とを生成してサーボ回路４０に出力する。サーボ回路４０は、ＦＥおよびＴＥに基づいて、フォーカシング駆動信号やトラッキング駆動信号を生成してドライバ回路５０に出力する。また、サーボ回路４０は、データ記録再生回路３０が出力する、光ディスク２００の回転数を示す信号に基づいて、光ディスク２００の回転数を目標値にするためのスピンドルモータ駆動信号を生成しドライバ回路５０に出力する。
【００１６】
ドライバ回路５０は、フォーカシング駆動信号およびトラッキング駆動信号に基づいて光ピックアップ１０内のアクチュエータ１１を駆動する。つまり、アクチュエータ１１において、フォーカシング駆動信号およびトラッキング駆動信号に基づいて対物レンズ可動子を微小駆動させることによりサーボ制御が実行される。また、ドライバ回路５０は、スピンドルモータ駆動信号に基づいて、光ディスク２００を載置するターンテーブル６０を所定回転数で回転させるスピンドルモータ７０を駆動する。
【００１７】
さらに、記録再生装置１００は、光ディスク２００の半径方向に延伸したガイドレール（不図示）を備え、当該ガイドレールに螺合した光ピックアップ１０を、ガイドレールの回転に応じて上記半径方向に移動可能としている。ガイドレールはステッピングモータによって回転可能とされている。つまり、サーボ回路４０は、制御部８０から出力されるシーク制御信号に基づいて、光ピックアップ１０を所定位置に移動させるためのトラバース駆動信号を生成しドライバ回路５０に出力する。そして、ドライバ回路５０からステッピングモータにトラバース駆動信号が出力されることにより、ステッピングモータがガイドレールを回転させることとなる。
【００１８】
図２は、光ディスク２００の構造を半径方向に沿った断面により簡易的に示している。ここでは、光ディスク２００は、２層構造のＢＤ‐Ｒであるとする。光ディスク２００における記録層をレイヤーと呼び、図２には１層目としてのレイヤー２０１および２層目としてのレイヤー２０９を示している。レイヤー２０１は、光ディスク２００の内周側から外周側に向かって順に、リードイン（Lead-in）領域２０２、インナースペア領域（ＩＳＡ）２０３、ユーザデータ領域（User Data area）２０４、アウタースペア領域（ＯＳＡ）２０５、アウター（Outer）領域２０６を有する。また、レイヤー２０９は、光ディスク２００の外周側から内周側に向かって順に、アウター（Outer）領域２１４、アウタースペア領域（ＯＳＡ）２１３、ユーザデータ領域（User Data area）２１２、インナースペア領域（ＩＳＡ）２１１、リードアウト（Lead-out）領域２１０を有する。
【００１９】
ユーザデータ領域２０４，２１２は、ユーザデータ（記録用データ）を記録したり、再生対象となる記録済みの情報を読み出したりする領域である。ＩＳＡ２０３，２１１およびＯＳＡ２０５，２１３は、基本的にはユーザデータ領域２０４，２１２における欠陥位置の代替として用いられる領域である。また、リードイン領域２０２は、ＯＰＣ領域２０７およびディスク管理領域（ＴＤＭＡ；Temporary Disc Management Area）２０８を含む。同様に、リードアウト領域２１０は、ＯＰＣ領域２１５およびディスク管理領域（ＴＤＭＡ）２１６を含む。ＯＰＣ領域２０７，２１５は、基本的には、光ピックアップ１０による試し記録を行なって実際のディスクの状態に合わせてレーザ光の記録パワーを最適値に調整する処理（ＯＰＣすなわち記録パワー調整）のために用いられる領域である。ＴＤＭＡ２０８，２１６は、欠陥位置および欠陥位置に対する代替位置を欠陥エントリー単位で管理する欠陥リスト（ＤＦＬ；Defect List）２１７を情報の一部として含む。
【００２０】
図３は、記録再生装置１００が実行する光ディスク２００に対する記録処理をフローチャートにより示している。当該処理は、制御部８０が実行するプログラムに従って実現される。ここでは、光ディスク２００に初めてユーザデータを記録する場合を想定して説明を行なう。ステップＳ３００では、記録再生装置１００は、レイヤー２０１のユーザデータ領域２０４に対する記録を開始する準備として、ＩＳＡ２０３を用いてＯＰＣを実行する。そして、ステップＳ３１０において、ユーザデータ領域２０４の始端（最も内周側のセクタ）から記録を開始する。つまり本実施形態では、スペア領域の少なくとも一部を用いてＯＰＣを実行するようにしており、また、ＯＰＣ実行後にユーザデータの記録を開始するユーザデータ領域内の位置（ユーザデータ領域２０４の始端）と距離が近い方のスペア領域（ＩＳＡ２０３）を用いてＯＰＣを実行する。図２では、細い矢印にて、ユーザデータ領域２０４，２１２に対する記録方向（光ピックアップ１０が移動する方向）を示している。
【００２１】
ステップＳ３２０では、レイヤー２０１のユーザデータ領域２０４への記録を終えた場合に、記録対象のレイヤーをレイヤー２０９に切替える（レイヤーを折り返す）。具体的には、記録再生装置１００は、ユーザデータ領域２０４の終端（最も外周側のセクタ）に対する記録を終えた場合に、レイヤー折り返しのタイミングであると判断する。ステップＳ３３０では、切替え先のレイヤー２０９のユーザデータ領域２１２に対する記録を開始する準備として、ＯＳＡ２１３を用いてＯＰＣを実行する。そして、ステップＳ３４０において、ユーザデータ領域２１２の始端（最も外周側のセクタ）から記録を開始（再開）する。つまりレイヤーを折り返す場合も、ＯＰＣ実行後にユーザデータの記録を開始するユーザデータ領域内の位置（ユーザデータ領域２１２の始端）と距離が近い方のスペア領域（ＯＳＡ２１３）を用いてＯＰＣを実行する。
【００２２】
なお、記録再生装置１００はＯＰＣを実行した場合、ＤＦＬ２１７に欠陥エントリー（ＤＦＬエントリー）を新たに登録する。
図４は、ＤＦＬ２１７の構造を簡易的に表している。ＤＦＬ２１７は、データ構造がＤＦＬであることを示すＤＦＬ識別子、当該ＤＦＬにおけるＤＦＬエントリーの数を示すＤＦＬエントリー総数、０個以上のＤＦＬエントリーを含む。記録再生装置１００は、ＯＰＣを実行した場合、当該ＯＰＣに関するＤＦＬエントリー（例えば、ＤＦＬエントリー０）の内容として、欠陥セクタ位置（Defective Cluster first PSN）を記載する欄には、当該ＯＰＣを実行したスペア領域内のセクタのＰＳＮ（位置情報）を記録する。また、当該ＯＰＣに関するＤＦＬエントリーの内容として、代替セクタ位置（Replacement Cluster first PSN）を記載する欄には、位置情報を記録せず、且つ、エントリーのタイプを示す識別情報（Status1/Status2）として、欠陥セクタ位置に対する代替先が存在しないことを示す所定の情報（0001b/0000b）を記録する。
【００２３】
より具体的には、記録再生装置１００は、ステップＳ３００では、ＩＳＡ２０３を用いて実行したＯＰＣに関するＤＦＬエントリーを、ＴＤＭＡ２０８内のＤＦＬ２１７に登録する。また、ステップＳ３３０では、ＯＳＡ２１３を用いて実行したＯＰＣに関するＤＦＬエントリーを、ＴＤＭＡ２１６内のＤＦＬ２１７に登録する。このような登録をＤＦＬ２１７に行なうことにより、記録再生装置１００は、ＯＰＣを実行したスペア領域内の位置情報を容易に管理することができ、以後ＤＦＬ２１７を参照することで、ＯＰＣに使用されて欠陥の代替に使用不可となったスペア領域内のアドレス（ＰＳＮ）を認識することができる。
【００２４】
このように本実施形態によれば、記録再生装置１００は、光ディスク２００内のスペア領域の少なくとも一部を用いてＯＰＣを実行する。つまり、ＯＰＣ領域２０７，２１５よりもユーザデータ領域２０４，２１２に近い位置に存在するスペア領域にてＯＰＣを実行するため、ユーザデータ領域２０４，２１２に該当する箇所と品質や状態がより近い環境でＯＰＣが実行される可能性が高まり（ＯＰＣの結果がより適切なものとなり）、結果的に記録品質が高まる。また、ユーザデータ領域２０４，２１２に出来るだけ近い位置でＯＰＣを実行するため、ＯＰＣを含めて記録処理に要する全体的な時間を短縮することができ、上記リアルタイム性を高めることができる。
【００２５】
さらには、一般的にスペア領域は光ディスク２００内で十分な容量が確保されており、未使用部分が多く残る領域であるが、本実施形態によれば、スペア領域をＯＰＣに用いることでスペア領域の有効利用がなされ、同時に、ＯＰＣ領域２０７，２１５の使用を節約することができる。なお本実施形態は、ＯＰＣ領域２０７，２１５をＯＰＣに使用することを否定するものではない。つまり、ＯＰＣに使用可能な領域が従来よりも拡大した（ＯＰＣを実行可能な回数が増加した）こととなり、結果、上記追記回数を増加させることができる。
【符号の説明】
【００２６】
１０…光ピックアップ、２０…アンプ、３０…データ記録再生部、４０…サーボ回路、５０…ドライバ回路、６０…ターンテーブル、７０…スピンドルモータ、８０…制御部、１００…記録再生装置、２００…光ディスク、２０１，２０９…レイヤー、２０２…リードイン領域、２０３，２１１…ＩＳＡ、２０４，２１２…ユーザデータ領域、２０５，２１３…ＯＳＡ、２０６，２１４…アウター領域、２０７，２１５…ＯＰＣ領域、２０８，２１６…ＴＤＭＡ、２１７…ＤＦＬ
【図１】
2014002813.tif 000003
【図２】
2014002813.tif 000004
【図３】
2014002813.tif 000005
【図４】
2014002813.tif 000006